(57)【特許請求の範囲】
【請求項１】
収納本体の地板部の下方において、地板部に対向した固定板体と固定板体および地板部の間に昇降自在に具備されたボルト昇降部とを有する昇降固定手段が備えられ、且つ床面に接したキャスター部とキャスター部の上部に具備された支持部とを有するキャスター移動手段が地板部と接離自在に備えられており、
ボルト昇降部の下降により、固定板体が下降され床面に当接するとともに、支持部が地板部と離れて、当該固定板体により収納本体が固定状態とされ、
ボルト昇降部の上昇により、固定板体が上昇され床面から離れるとともに、支持部が地板部と接して、キャスター部により収納本体が可動状態とされるようになっていることを特徴とする収納体。
【請求項２】
ボルト昇降部は、地板部において昇降自在とされているボルト部と、ボルト部の下端に具備され、且つ固定板体と固定されている固定板体固定部とを有しており、
地板部は、ボルト部が昇降自在に挿入されるボルト用開口部を有しており、
ボルト部がボルト用開口部において昇降されるとともに、その下端の固定板体固定部を介して固定板体が昇降されるようになっている請求項１記載の収納体。
【請求項３】
支持部が嵌着脱自在に挿入される嵌合凹部が地板部の下部に備えられており、
ボルト昇降部の昇降により、固定板体が昇降されるとともに、支持部が嵌合凹部に嵌着脱されて地板部と接離されるようになっている請求項１または２記載の収納体。
【請求項４】
支持部が板状体または棒状体である請求項１ないし３のいずれかに記載の収納体。
【請求項５】
収納本体の天板部の上方において、天板部に対向した固定板体と固定板体および天板部の間に昇降自在に具備されたボルト昇降部とを有する昇降固定手段が備えられており、
ボルト昇降部の上昇により、固定板体が上昇され天井面に当接して、収納本体が固定状態とされ、
ボルト昇降部の下降により、固定板体が下降され天井面から離れて、収納本体が非固定状態とされるようになっていることをさらに特徴とする請求項１ないし４のいずれかに記載の収納体。
【発明の詳細な説明】
【０００１】
【発明の属する技術分野】
この出願の発明は、収納体に関するものである。さらに詳しくは、この発明は、キャスターによる移動が容易であるとともに、確実、強固な固定が可能であり、且つ施工性および経済性に優れ、美観性および外観性も損われることのない、新しい収納体に関するものである。
【０００２】
【従来の技術】
住宅等の建物内には収納体がしばしば備えられているが、従来では、この収納体の設置または移動を容易ならしめるために、収納体自体を上下あるいは上中下に分割可能としたものや、収納体の底部にキャスターを設けて転がし移動可能としたものが知られている。
【０００３】
収納体の移動性からみると、キャスターにより転がすだけで移動できるキャスター付きの方が優れていることは明らかである。このキャスター付きの収納体としては、たとえば、特開平１０−１３７０５０や特開平８−１８２５４３に開示されたものがある。
前者の収納体［特開平１０−１３７０５０参照］は、たとえば図１３（ａ）（ｂ）に例示したように、収納本体（ア）の地板（イ）の下方にキャスター（エ）と上下移動可能なアジャストボルト（ウ）が取り付けられ、アジャストボルト（ウ）を回転操作により上下に移動させることで、キャスター（エ）による移動可能状態およびアジャストボルト（ウ）による固定状態が切り換えられるようになっているものであり、アジャストボルト（ウ）が上方に浮き上がった状態でキャスター（エ）により所定の設置位置まで収納本体（ア）が移動され、その設置位置でアジャストボルト（ウ）を下方に突き出してキャスター（エ）が床面（オ）から浮き上がって収納本体（ア）が固定される。
【０００４】
一方、後者の収納体［特開平８−１８２５４３参照］では、たとえば図１４（ａ）（ｂ）（ｃ）に例示したように、キャスター（エ）を取り付けたベース（ク）と、ベース（ク）の上方に位置する昇降台（ケ）と、ベース（ク）に対して昇降台（ケ）を昇降自在とする昇降機構（コ）とで構成された昇降機（サ）が、収納本体（ア）の地板（イ）と周囲の脚板（シ）の間に設けらた空間に組み込まれており、昇降機構（コ）は、上下屈伸可能なくの字状のリンク部材（ス）が一対、ベース（ク）と昇降台（ケ）との間において互いに向き合うように前後に具備され、且つこの一対のリンク部材（ス）の中央部を貫通するようにネジ杆（セ）が螺合されており、このネジ杆（セ）の回転によりリンク部材（ス）が上下屈伸してベース（ク）に対して昇降台（ケ）を昇降するようになっている。
【０００５】
昇降台（ケ）が上昇すると、収納本体（ア）が持ち上げられて床面から浮き上がり、キャスター（エ）のみが床面に接触して移動可能状態となり、その逆に昇降台（ケ）が下降すると、キャスター（エ）が上昇するとともに収納体（ア）の脚板（シ）が床面（オ）に当接して収納本体（ア）が固定される。
なお、昇降機（サ）の前方には、昇降機（サ）を隠す幕板（タ）が地板（イ）の下面から設けられている。
【０００６】
【発明が解決しようとする課題】
しかしながら、上記の図１３（ａ）（ｂ）および図１４（ａ）（ｂ）（ｃ）に例示した通りの従来の収納体では、以下のような種々の問題点が存在している。
すなわち、図１３（ａ）（ｂ）に例示した収納体では、昇降可能なアジャストボルト（ウ）のみによって収納本体（ア）を支持固定している。そのアジャストボルト（ウ）は地板（イ）下方において側板（カ）間に備えられた補強部材としての角型鋼管（キ）により補強されてはいるものの、床面（オ）との接触面積が小さいため、キャスター（エ）およびアジャストボルト（ウ）さらには角型鋼管（キ）のために重くなっている収納本体（ア）の十分に安全で、強固な固定は困難であり、たとえば地震などがあった場合では収納本体（ア）が倒れる危険性が高くなるといった問題がある。
【０００７】
図１４（ａ）（ｂ）（ｃ）に例示した収納体では、図１３（ａ）（ｂ）の収納体とは異なり、キャスター（エ）自体を昇降させ、収納本体（ア）の固定は床面に当接した幕板（タ）および脚板（シ）によりなされているので、確実な固定が実現されてはいるものの、昇降機（サ）、特に昇降機構（コ）が非常に複雑な構造であって、必然的に重くなり、このような重量のある昇降機（サ）を収納本体（ア）に備え付けては収納体自体が重くなるため、移動時に大きな力が必要となってキャスター（エ）による良好な移動性が却って阻害されてしまうといった問題がある。
【０００８】
また、昇降機（サ）では、昇降台（ケ）の水平昇降を図るために、ベース（ク）および昇降台（ケ）の間において、ベース（ク）および昇降台（ケ）各々の左右側枠部に、昇降可能な案内リンク部材（チ）一対が左右対向して備えられているとともに、その案内リンク部材（チ）の端部がスライド可能に嵌められているガイド溝（ツ）が設けられており、案内リンク部材（チ）が、昇降機構（コ）の昇降にともなって、その端部がガイド溝（ツ）に沿って前後にスライドしながら昇降されるようになっている。
【０００９】
このように、複雑な構成の昇降機構（コ）の他に、水平昇降を実現する手段をも必要とした昇降機（サ）は、重量がさらに重くなるだけでなく、部品点数が多く複雑で作製にも時間がかかり、作製費用や取付け費用等が高くなって経済的にも好ましいものではない。
さらにまた、図１４（ｃ）からも明らかなように、昇降機構（コ）のネジ杆（セ）を回転操作するための回転ハンドル（ソ）がネジ杆（セ）の先端に、幕板（タ）から収納体前面に露出して備えられており、この回転ハンドル（ソ）は収納本体（ア）との一体感を得ておらず、収納体全体の美観性が損なわれてしまっている。このため、上述したような昇降機（サ）を組込んだ収納体を作製するには、外観性を考慮したデザインを回転ハンドル（ソ）あるいは収納本体（ア）に施す必要があり、デザインに手間がかかるだけでなく、外観に制限が課されている。
【００１０】
上述したように従来の収納体は様々な解決すべき問題点を有しており、より優れた移動性および固定性等を有する収納体の実現が望まれている。
ところで、上述の各従来収納体はその地板部における移動・固定に関しては何らかの技術が加えられているものの、その天板部における固定に関しては何ら意図されていない。
【００１１】
すなわち、家屋などの建物内に備えられた通常の収納体では、部屋天井面と収納体天板部との間に空間があいていることがしばしばであり、背の高い収納体などでは底部が固定されていても天板が揺れやすく、地震時等の倒壊の危険性が高い状態のものが多々ある。このため、より確実、安全な設置固定を実現するために、天板部における部屋天井面との固定を可能ならしめた収納体、特にキャスター付きの可動式収納体の実現が重要な課題となっている。
【００１２】
この出願の発明は、以上の通りの事情に鑑みてなされたものであり、従来技術の問題点を解消し、キャスターによる移動が容易であるとともに、確実、強固な固定が可能であり、且つ施工性および経済性に優れ、美観性および外観性も損われることのない、新しい収納体を提供することを目的としている。
【００１３】
【課題を解決するための手段】
【００１４】
この出願の発明は、上記の課題を解決する発明として、収納本体の地板部の下方において、地板部に対向した固定板体と固定板体および地板部の間に昇降自在に具備されたボルト昇降部とを有する昇降固定手段が備えられ、且つ床面に接したキャスター部とキャスター部の上部に具備された支持部とを有するキャスター移動手段が地板部と接離自在に備えられており、ボルト昇降部の下降により、固定板体が下降され床面に当接するとともに、支持部が地板部と離れて、当該固定板体により収納本体が固定状態とされ、ボルト昇降部の上昇により、固定板体が上昇され床面から離れるとともに、支持部が地板部と接して、キャスター部により収納本体が可動状態とされるようになっていることを特徴とする収納体を提供する。
また、この収納体において、ボルト昇降部は、地板部において昇降自在とされているボルト部と、ボルト部の下端に具備され、且つ固定板体と固定されている固定板体固定部とを有しており、地板部は、ボルト部が昇降自在に挿入されるボルト用開口部を有しており、ボルト部がボルト用開口部において昇降されるとともに、その下端の固定板体固定部を介して固定板体が昇降されるようになっていることや、支持部が嵌着脱自在に挿入される嵌合凹部が地板部の下部に備えられており、ボルト昇降部の昇降により、固定板体が昇降されるとともに、支持部が嵌合凹部に嵌着脱されて地板部と接離されるようになっていることや、支持部が板状体または棒状体であることなどをその好ましい態様としている。
【００１５】
さらにまた、この出願の発明は、収納本体の天板部の上方において、天板部に対向した固定板体と固定板体および天板部の間に昇降自在に具備されたボルト昇降部とを有する昇降固定手段が備えられており、ボルト昇降部の上昇により、固定板体が上昇され天井面に当接して、収納本体が固定状態とされ、ボルト昇降部の下降により、固定板体が下降され天井面から離れて、収納本体が非固定状態とされるようになっていることをさらに特徴とする上記収納体を提供する。
【００１６】
【００１７】
【発明の実施の形態】
以下、添付した図面に沿って実施例を示し、この発明の実施の形態についてさらに詳しく説明する。
【００１８】
【実施例】
［実施例１］
図１および図２は、この発明の収納体の一実施例を示した地板部周辺の要部断面図である。
これら図１および図２に例示したこの発明の収納体では、収納本体（１）の地板部（２）と脚板部（３）とによって形成された空間において、キャスター部（８）とこのキャスター部（８）の上部に具備されたボルト・ナット昇降部（１１）とを有する昇降キャスター移動手段（７）が地板部（２）に昇降自在に取り付けられており、ボルト・ナット昇降部（１１）によりキャスター部（８）が上昇するとともに、脚板部（３）が下降してその下端面が床面（１６）に当接し、収納本体（１）が固定状態とされ［図１参照］、また、ボルト・ナット昇降部（１１）によりキャスター部（８）が下降して床面（１６）に当接して収納本体（１）を押し上げるとともに、脚板部（３）の下端面が上昇して、収納本体（１）が可動状態とされる［図２参照］ようになっている。
【００１９】
これにより、昇降キャスター移動手段（７）のボルト・ナット昇降部（１１）を昇降させるだけで収納本体（１）の可動状態および固定状態を切換えることができ、収納本体（１）を、可動状態でキャスター部（８）により容易に所定の床面（１６）に移動させ、所定の床面（１６）にて上述したように固定状態に切換えて収納本体（１）をその側板部（３）により確実に固定することができる。
【００２０】
この場合さらに説明すると、たとえば図１および図２の例では、キャスター部（８）は、キャスター（９）とこのキャスター（９）を回転可能に支持する支持体（１０）とを有している。ボルト・ナット昇降部（１１）は、キャスター部（８）の支持体（１０）の上部および地板部（２）の下部に固定され相対向した一対のナット（１２）（１３）と、この一対のナット（１２）（１３）に螺合したボルト（１４）とを有している。さらに、地板部（２）は、ボルト（１４）が昇降自在に挿入されるボルト用開口部（１５）を有している。つまり、ボルト・ナット昇降部（１１）は、キャスター部（８）上に立設され、且つ地板部（２）に昇降自在に固定されていることとなる。
【００２１】
そして、ボルト（１４）がボルト用開口部（１５）において回転昇降されることにより、キャスター部（８）側のナット（１２）および地板部（２）側のナット（１３）の間隔が縮小拡大されて、キャスター部（８）が昇降されるようになっている。ボルト・ナット昇降部（１１）のボルト（１４）は、地板部（２）のボルト用開口部（１５）において、その上方から、つまり収納本体（１）の内側からドライバーなどで回転操作することができる。
【００２２】
この発明の収納体では、上述したような昇降キャスター移動手段（７）が地板部（２）の四隅部に取り付けられており、各昇降キャスター移動手段（７）におけるボルト・ナット昇降部（１１）のボルト（１４）を収納本体（１）の内側から回転操作するだけで、収納本体（１）の固定状態および可動状態を容易に切換えることができ、従来の収納体でも使われているキャスター部（８）の他には、一対のナット（１２）（１３）およびボルト（１４）だけでキャスター部（８）を昇降自在としているため、単純構造、軽量、安価な昇降機構による優れた移動性、且つ優れた固定性が実現されている。
【００２３】
図１および図２に示した例では、各昇降キャスター移動手段（７）は、さらに、補強板体（１７）をも有しており、ボルト・ナット昇降部（１１）の一方のナット（１３）が補強板体（１７）を介して地板部（２）の下部に固定されている。この補強板体（１７）により地板部（２）との取付け部分が補強されるので、昇降キャスター移動手段（７）は、たとえば収納本体（１）の移動時における強度がより向上され、移動の安全性を向上することができる。補強板体（１７）としては、たとえば鉄製のものを用いることができる。
【００２４】
また、補強板体（１７）が各昇降キャスター移動手段（７）に備えられている、つまり地板部（２）の四隅部に固定された実施例を示しているが、たとえば、一枚の補強板体（１７）を地板部（２）下面の全域またはほぼ全域に当接させて固定し、この補強板体（１７）にボルト・ナット昇降部（１１）の一方のナット（１３）を固定させ、ボルト（１４）は地板部（２）のボルト用開口部（１５）からこの補強板体（１７）を貫通してナット（１３）およびナット（１２）に螺合させておくようにしてもよい。この場合には、補強板体（１７）により、昇降キャスター移動手段（７）とともに地板部（２）自体も補強されることとなるので、収納本体（１）内に重い物が収納された場合やその状態で移動された場合などにおいても、より十分な強度を確保できる。
【００２５】
なお、本実施例では、脚板部（３）は、収納本体（１）の背板部（４）および側板部（図示していない）と一体となったものとされている。また、収納本体（１）の前面下方、つまり扉部（５）の下方には、上述した昇降キャスター移動手段（７）を隠すように板体（６）が設けられている。この板体（６）は、地板部（２）の下面に取り付けられており、台輪としても機能し、昇降キャスター移動手段（７）の上昇により収納本体（１）が固定状態にある時は、その下端面が床面（１６）に当接して、脚板部（３）とともに収納本体（１）を支持固定するようにもなる。
【００２６】
また、床面（１６）上には、収納本体（１）の移動時や固定時における傷付き防止等のために、たとえばシート状のパッキン（１８）を設けておいてもよい。
［実施例２］
図３および図４は、この発明の別の収納体の一実施例を示した地板部周辺の要部断面図である。
【００２７】
これら図３および図４に例示したこの発明の収納体では、収納本体（１）の地板部（２）の下方において、地板部（２）に対向した固定板体（１９）とこの固定板体（１９）および地板部（２）の間に昇降自在に具備されたボルト昇降部（２０）とを有する昇降固定手段（２１）が備えられ、且つ床面（１６）に接したキャスター部（２２）とこのキャスター部（２２）の上部に具備された支持部（２３）とを有するキャスター移動手段（２４）が地板部（２）と接離自在に備えられており、昇降固定手段（２１）のボルト昇降部（２０）の下降により、固定板体（１９）が下降され床面（１６）に当接して収納本体（１）を押し上げるとともに、キャスター移動手段（２４）の支持部（２３）が地板部（２）と離れて、固定板体（１９）により収納本体（１）が固定状態とされ［図３参照］、また、ボルト昇降部（２０）の上昇により、固定板体（１９）が上昇され床面（１６）から離れるとともに、キャスター移動手段（２４）の支持部（２３）が地板部（２）と接して、キャスター部（２２）により収納本体（１）が可動状態とされる［図４参照］ようになっている。
【００２８】
これにより、昇降固定手段（２１）のボルト昇降部（２０）を昇降させるだけで収納本体（１）の可動状態および固定状態を切換えることができ、収納本体（１）を、可動状態でキャスター移動手段（２４）のキャスター部（２２）により容易に所定の床面（１６）に移動させ、所定の床面（１６）にて上述したように固定状態に切換えて昇降固定手段（２１）の固定板体（１９）により確実に固定することができる。
【００２９】
また、キャスター移動手段（２４）が地板部（２）と接離自在となっているので、昇降固定手段（２１）のボルト昇降部（２０）が下降して収納本体（１）が固定状態とされている際には、キャスター移動手段（２４）が地板部（２）から離れるようになり、これによって、キャスター移動手段（２４）の重みが地板部（２）に、つまり収納本体（１）に付加されなくなるため、収納本体（１）の固定をより安全で、確実なものとならしめることができる。もちろん、昇降固定手段（２１）のボルト昇降部（２０）が上昇して収納本体（１）が可動状態とされている際には、キャスター移動手段（２４）の支持部（２３）が地板部（２）下面に当接し、且つキャスター部（２２）も床面（１６）に接しているので、収納本体（１）を確実に支持しながら、安全で容易な移動を可能なものとしている。
【００３０】
図３および図４に例示した実施例についてさらに説明すると、昇降固定手段（２１）におけるボルト昇降部（２０）は、地板部（２）において昇降自在とされているボルト部（２５）と、このボルト部（２５）の下端に具備され、且つ固定板体（１９）とたとえばネジ（２８）等により固定されている固定板体固定部（２６）とを有している。地板部（２）は、ボルト昇降部（２０）のボルト部（２５）が昇降自在に挿入されるボルト用開口部（２７）を有している。つまり、ボルト昇降部（２０）は、固定板体（１９）上に立設され、且つ地板部（２）に昇降自在に取り付けられていることとなる。
【００３１】
そして、ボルト部（２５）がボルト用開口部（２７）において昇降されるとともに、その下端の固定板体固定部（２６）を介して固定板体（１９）が昇降されるようになっている。ボルト昇降部（２０）のボルト部（２５）は、地板部（２）のボルト用開口部（２７）において、その上方から、つまり収納本体（１）の内側からドライバーなどで回転操作することができる。
【００３２】
一方、キャスター移動手段（２４）では、たとえば図５にも例示したように、キャスター部（２２）は、キャスター（３０）とこのキャスター（３０）を回転可能に支持する支持体（３１）とを有している。支持部（２３）は、たとえば板状体または棒状体とすることができ、図３〜５の例では、断面略逆Ｕ字状の板体（３２）と、その逆Ｕ字部分に納められる板体（３３）とからなる板状体が用いられている。そして、この板状体である支持部（２３）の板体（３３）の下面にキャスター部（２２）の支持体（３１）が固定されてキャスター移動手段（２４）が構成されている。
【００３３】
また、地板部（２）の下部には、このようなキャスター移動手段（２４）の支持部（２３）が嵌着脱自在に挿入される嵌合凹部（３４）が備えられていてもよい。本実施例２では、この嵌合凹部（３４）は、地板部（２）の下面に固定された一対の台部材（３５）間に形成されており、ボルト昇降部（２０）の昇降により、固定板体（１９）が昇降されるとともに、キャスター移動手段（２４）の支持部（２３）が嵌合凹部（３４）に嵌着脱されて地板部（２）と接離されるようになる。
【００３４】
これにより、キャスター移動手段（２４）の支持部（２３）が単に地板部（２）の下面に接するだけの場合よりも、嵌合凹部（３４）に嵌着されている方が、収納本体（１）の移動時に、キャスター移動手段（２４）が地板部（２）の下方において無駄に動いてしまうことを防ぎ、よりスムーズで容易な移動が可能となる。
【００３５】
さらに、キャスター移動手段（２４）の支持部（２３）では、嵌合凹部（３４）へのより確実で、ぶれの少ない嵌着を可能ならしめるために、たとえば、断面略逆Ｕ字状の板体（３２）の一対の下端縁部から一対の支持板片（３６）が外方に延設されていてもよく、支持部（２３）が嵌合凹部（３４）に嵌着される際には、この一対の支持板片（３６）それぞれが嵌合凹部（３４）を形成している台部材（３５）に引っ掛かるようになる。
【００３６】
嵌着とは逆に、支持部（２３）が昇降固定手段（２１）のボルト昇降（２０）の下降にともなって嵌合凹部（３４）から嵌脱される際には、支持部（２３）が完全に嵌合凹部（３４）から抜けてしまうのではなく、たとえば嵌合凹部（３４）の深さや支持部（２３）の厚さ寸法等を調整することにより、その上部の一部分が嵌合凹部（３４）内に残るようにされていることが好ましく、これにより、固定状態において何らかの原因でキャスター移動手段（２４）だけが地板部（２）下方において動いてしまうことを防ぐことができる。
【００３７】
本実施例２では、上述した嵌合凹部（３４）を形成している台部材（３５）は、昇降固定手段（２１）におけるボルト昇降部（２０）の補強部材としても機能している。すなわち、ボルト昇降部（２０）のボルト部（２５）が昇降自在に挿入されるボルト用開口部（２７）が、地板部（２）から台部材（３５）に連通して設けられており、地板部（２）および台部材（３５）の厚みによりボルト部（２５）自体の昇降時の強度が確保されてもいる。
【００３８】
また、ボルト用開口部（２７）には、いわゆる鬼目ナット（２９）が設けられていてもよく、この鬼目ナット（２９）によってよりスムーズで、耐久性良くボルト昇降部（２０）のボルト部（２５）の昇降を行うことができるようになる。
なお、上述した昇降固定手段（２０）には、それ自身やキャスター移動手段（２４）を隠す板体（３７）が収納本体（１）の下方部に設けられていてもよく、この板体（３７）は台輪としても機能する。
［実施例３］
図６および図７は、この発明のさらに別の収納体の一実施例を示した天板部周辺の要部断面図である。
【００３９】
たとえばこれら図６および図７に例示したように、この発明の収納体では、収納本体（１）の天板部（３９）の上方において、天板部（３９）に対向した固定板体（４０）と、この固定板体（４０）および天板部（３９）の間に昇降自在に具備されたボルト昇降部（４１）とを有する昇降固定手段（４２）が備えられており、この昇降固定手段（４２）により収納本体（１）の天井面（３８）に対する固定状態・非固定状態を切換えることができる。すなわち、ボルト昇降部（４１）の上昇により、固定板体（４０）が上昇され天上面（３８）に当接して、収納本体（１）が固定状態とされ、また、ボルト昇降部（４１）の下降により、固定板体（４０）が下降され天上面（３８）から離れて、収納本体（１）が非固定状態とされるようになっている。
【００４０】
したがって、昇降固定手段（４２）のボルト昇降部（４１）を昇降させるだけで、固定板体（４０）を天井面（３８）に押しつけ、または緩めるようにして、収納本体（１）を天井面（３８）に対して突っ張り固定し、または非固定とすることができる。よって、天井面（３８）との固定を実現できるだけでなく、固定および非固定の自在切換えをも実現している。
【００４１】
なお、この昇降固定手段（４２）は、たとえば収納本体（１）の天板部（３９）上において四隅部に備えられることが好ましいが、天井面（３８）との固定効果が得られる限り、四隅部に限定されることなく、所望の必要な箇所に備えられていてもよい。
この場合さらに説明すると、図６および図７に示した例では、昇降固定手段（４２）におけるボルト昇降部（４１）は、天板部（３９）において昇降自在とされているボルト部（４３）と、このボルト部（４３）の上端に具備され、固定板体（４０）と接触している固定板体接触部（４４）とを有しており、このようなボルト昇降部（４１）が備えらている天板部（３９）は、ボルト部（４３）が昇降自在に挿入されるボルト用開口部（４５）を有している。そして、ボルト部（４３）がボルト用開口部（４５）において昇降されるとともに、その上端の固定板体接触部（４４）により固定板体（４０）が昇降されるようになっている。このボルト部（４３）の昇降は、天井面（３９）の下方、つまり収納本体（１）の内側から、ボルト用開口部（４５）にドライバー等を差し込んで回転操作するだけで行うことができる。
【００４２】
この例においてさらに具体的には、天板部（３９）の上面には台部材（４８）が固定されており、ボルト用開口部（４５）は、天板部（３９）とともにこの台部材（４８）をも連通して設けられている。ボルト部（４３）は、このような台部材（４８）上面において、ネジ（４７）等により固定されたいわゆるフローティングナット（４６）を介して、ボルト用開口部（４５）に向けて昇降自在に固定されている。
【００４３】
また、ボルト部（４３）の上端に具備された固定板体接触部（４４）としては、この例では、いわゆるアジャスタープラハートと呼ばれるものが用いられており、この固定板体接触部（４４）の固定板体（４０）との接触をより確実なものとするために、固定板体（４０）には凹部（４９）が設けられていもいる。この凹部（４９）に固定板体接触部（４４）が嵌められることで、ボルト部（４３）の昇降時、特に上昇時にズレが生じにくくなり、より正確な固定板体（４０）の押上げとともに、天井面（３８）に対するしっかりとした押し付けが可能となる。
【００４４】
図８および図９は、この発明の収納体の別の一実施例を示したものであり、これら図８および図９に例示した収納体では、昇降固定手段（４２）におけるボルト昇降部（４１）の固定板体接触部（４４）が、固定金具（５０）およびネジ（５１）を介して固定板体（４０）に固定されたものとなっている。ボルト部（４３）は、前述の図６および図７の例と同様に、台部材（４８）および天板部（３９）を連通して設けられたボルト用開口部（４５）に昇降自在に挿入されているが、そのボルト用開口部（４５）には、ボルト部（４３）のスムーズな昇降を可能とするために、いわゆる鬼目ナット（５２）が設けられてもいる。
【００４５】
上述した図６および図７並びに図８および図９に例示した各収納体では、昇降固定手段（４２）は、固定板体（４０）とボルト昇降部（４１）とを隠す囲い体（５３）を有していることが好ましく、これにより、昇降固定手段（４２）において、固定板体（４０）がボルト昇降部（４１）により昇降されると、あたかも囲い体（５３）から固定板体（４０）のみが昇降しているように見え、ボルト昇降部（４１）は常に隠されることとなるので、昇降固定手段（４２）と収納本体（１）との一体感を向上させることができ、昇降固定手段（４２）により収納本体（１）の外観性が損われることがない。
【００４６】
また、このような昇降固定手段（４２）は着脱自在に収納本体（１）の天板部（３９）に取り付けられるようになっていてもよく、必要の無いときには取り外し、天井面（３８）との固定が必要である場合には任意に天井部（３９）に取り付けることができる。この場合には、さらに、天井部（３９）の上面に、昇降固定手段（４２）の取付け位置決めのための薄板部（５４）が配設されていることが、より迅速な昇降固定手段（４２）の取付けを図るために好ましい。
【００４７】
図１０は、囲い体（５３）を備えた昇降固定手段（４２）の、薄板部（５４）を備えた天井部（３９）への取付けの一例を示したものであり、この図１０に例示したように、昇降固定手段（４２）を、天井部（３９）の四隅部に配設された薄板部（５４）それぞれにあわせて簡単に位置決めし、取り付けることができる。この図１０の例では、昇降固定手段（４２）は、前述の図６および図７に例示した手段と同じものとなっており、固定板体（４０）とボルト昇降部（４１）とは固定されておらず別々とすることができ（固定されていてもよいことは言うまでもない）、固定板体（４０）は、囲い体（５３）内に納まるようにボルト昇降部（４１）上に載置させるだけでよい。
【００４８】
ところで、上述した収納本体（１）を天板部（３９）において天井面（３８）との固定を可能ならしめるこの発明の収納体は、キャスターによる可動式の収納体に対しても適用させることができることは言うまでもない。特に、前述の図１〜図５に例示したような収納本体（１）の地板部（２）において床面（３８）との固定・可動状態の切換えを可能ならしめるこの発明の収納体に適用させることにより、可動状態をなんら阻害することなく、さらに効果的に固定状態における固定を確実なものとすることができる。
【００４９】
すなわち、たとえば図１１に例示したように、図１の収納体における昇降キャスター移動手段（７）と図６の収納体における昇降固定手段（４２）とを一つの収納本体（１）に適用させた場合、収納本体（１）の固定時には、昇降キャスター移動手段（７）におけるボルト・ナット昇降部（１１）の上昇によりキャスター部（８）を上昇させるとともに、脚板部（３）の下端面が床面（１６）に当接されて、収納本体（１）の地板部（２）において床面（１６）との固定状態を確保し、その一方で、昇降固定手段（４２）におけるボルト昇降部（４１）の上昇により固定板体（４０）が押し上げられて天井面（３８）に当接されて、収納本体（１）の天井部（３９）における天井面（３８）との突っ張り固定状態を確保することができる。
【００５０】
また、収納本体（１）の移動時には、昇降固定手段（４２）におけるボルト昇降部（４１）を下降させて、固定板体（４０）を下げて天井面（３８）から離し、収納本体（１）の天井部（３９）と天井面（３８）との固定状態を解除し、そして昇降キャスター移動手段（７）におけるボルト・ナット昇降部（１１）を下降させて、キャスター部（８）を床面（１６）に押し付けるとともに、収納本体（１）を持ち上げて脚板部（３）を床面（１６）から離すようにすることで、収納本体（１）のキャスター部（８）による可動状態を確保することができる。
【００５１】
このように、両発明の地板部における固定・可動状態切換え機構および天板部における固定・非固定状態切換え機構を組み合わせることにより、収納本体（１）の優れた可動性および固定性を実現することができるようになる。
なお、以上のような各収納体が複数連続して並べられた場合には、収納本体（１）間に隙間が生じしてしまうことも考えられるので、この発明では、さらに、たとえば図１２に例示したように、収納本体（１）の左右側面、つまり左右側板部（５６）の外面の両方もしくは一方に隙間を塞ぐための発泡体等の弾性体（５５）が着脱自在に備えられていることが好ましい。この弾性体（５５）によって、隙間を塞いで、遮音および遮光を図ることができ、また、着脱自在とすることで、側面が見えるときなどの不要時には取り外すこともできる。着脱自在とするには、たとえば着脱自在となる程度の粘着性を有する粘着シートにより弾性体（５５）を貼り付けるようにしてもよい。
【００５２】
また、上述したこの発明の各収納体では、地板部（２）の昇降キャスター移動手段（７）および昇降固定手段（２１）、ならびに天板部（３９）の昇降固定手段（４２）の昇降時の回転操作を全て、収納本体（１）の内側から、より具体的にはたとえば収納本体（１）の地板部（２）および天板部（３９）に設けられたボルト用開口部（１５）（２７）（４５）において収納本体（１）の内側から、ドライバーなどにより行うことができるので、前述の図１４（ａ）（ｂ）（ｃ）に例示した従来の収納体のように、回転ハンドル（ソ）のような回転操作用手段を外に露出して設けるようにする必要がないため、収納本体（１）の美観性、外観性を損うことがなく、デザインの制約もない。
【００５３】
もちろん、この発明は以上の例に限定されるものではなく、細部については様々な態様が可能であることは言うまでもない。
【００５４】
【発明の効果】
以上詳しく説明した通り、この発明によって、キャスターによる移動が容易であるとともに、確実、強固な固定が可能であり、且つ施工性および経済性に優れ、美観性および外観性も損われることのない、新しい収納体が提供される。
【図面の簡単な説明】
【図１】この発明の収納体の一実施例を例示した地板周辺の要部断面図であり、固定状態を示している。
【図２】図１の収納体における可動状態を例示した要部断面図である。
【図３】この発明の別の収納体の一実施例を例示した地板周辺の要部断面図であり、固定状態を示している。
【図４】図３の収納体における可動状態を例示した要部断面図である。
【図５】キャスター移動手段の一例を示した要部斜視図である。
【図６】この発明のさらに別の収納体の一実施例を例示した天板周辺の要部断面図であり、固定状態を示している。
【図７】図６の収納体における非固定状態を例示した要部断面図である。
【図８】この発明の収納体の別の一実施例を例示した天板周辺の要部断面図であり、固定状態を示している。
【図９】図７の収納体における非固定状態を例示した要部断面図である。
【図１０】囲い体を備えた昇降固定手段の薄板部を備えた天井部への取付けの一例を示した斜視図である。
【図１１】地板部における固定・可動状態切換え機構および天板部における固定・非固定状態切換え機構を組み合わせたこの発明の収納体の別の一実施例を例示した要部断面図である。
【図１２】この発明の別の一実施例である収納体を例示した平面図である。
【図１３】従来の収納体の一例を示した地板周辺の正面図であり、（ａ）は収納体移動時の状態、（ｂ）は収納体固定時の状態を示している。
【図１４】従来の収納体の別の一例を示した図であり、（ａ）は地板周辺の要部断面図、（ｂ）は昇降機の要部斜視図、（ｃ）は収納体全体の斜視図である。
【符号の説明】
１  収納本体
２  地板部
３  脚板部
４  背板部
５  扉部
６  板部
７  昇降キャスター移動手段
８  キャスター部
９  キャスター
１０  支持体
１１  ボルト・ナット昇降部
１２，１３  ナット
１４  ボルト
１５  ボルト用開口部
１６  床面
１７  補強板体
１８  パッキン
１９  固定板体
２０  ボルト昇降部
２１  昇降固定手段
２２  キャスター部
２３  支持部
２４  キャスター移動手段
２５  ボルト部
２６  固定板体固定部
２７  ボルト用開口部
２８  ネジ
２９  鬼目ナット
３０  キャスター
３１  支持体
３２，３３  板体
３４  嵌合凹部
３５  台部材
３６  支持板片
３７  板体
３８  天井面
３９  天板部
４０  固定板体
４１  ボルト昇降部
４２  昇降固定手段
４３  ボルト部
４４  固定板体接触部
４５  ボルト用開口部
４６  フローティングナット
４７  ネジ
４８  台部材
４９  凹部
５０  固定金具
５１  ネジ
５２  鬼目ナット
５３  囲い体
５４  薄板部
５５  弾性体
【図１】
0003613042.tif 000002
【図２】
0003613042.tif 000003
【図３】
0003613042.tif 000004
【図４】
0003613042.tif 000005
【図５】
0003613042.tif 000006
【図６】
0003613042.tif 000007
【図７】
0003613042.tif 000008
【図８】
0003613042.tif 000009
【図９】
0003613042.tif 000010
【図１０】
0003613042.tif 000011
【図１１】
0003613042.tif 000012
【図１２】
0003613042.tif 000013
【図１３】
0003613042.tif 000014
【図１４】
0003613042.tif 000015